(57)【要約】【課題】カバー部材をより外れにくくすることができる二軸蝶番及び止水扉を提供することを目的とする。【解決手段】二軸蝶番６は枠体側カバー部材９と扉体側カバー部材１０を備える。枠体側カバー部材９は枠体側対向部９１ｂと枠体側外側部９１ｃを備える。扉体側カバー部材１０は扉体側対向部１１ｂと扉体側外側部１１ｃを備える。二軸蝶番６は枠体側外側面７１ｂに設けられた枠体側係合凹部６１と枠体側外側部９１ｃに設けられた枠体側係合凸部６２と枠体側対向部９１ｂを貫通する枠体側取付ねじ６３と扉体側外側面８１ｂに設けられた扉体側係合凹部６４と扉体側外側部１１ｃに設けられた扉体側係合凸部６５と扉体側対向部１１ｂを貫通する扉体側取付ねじ６６を備える。係合凸部６２，６５は鉛直方向に複数設けられていることを特徴とする。【選択図】図５
2016196766.tif 000002
【特許請求の範囲】
【請求項１】
一方が構造物の開口に設けられる枠体に締結部材により固定され、かつ、他方が前記枠体に回動自在に支持される扉体に締結部材により固定される一対の軸受体と、
前記一対の軸受体と鉛直方向と平行な回動軸を介して回動自在に設けられる連結杆と、
前記軸受体に取り付けられ、かつ前記締結部材を覆う締結部材覆い部と、前記扉体の閉塞時に前記一対の軸受体の互いに対向する対向面に重なる対向部と、前記扉体の閉塞時に前記一対の軸受体の互いに離間する外側面に重なる外側部とを備える一対のカバー部材と、を備える二軸蝶番であって、
前記軸受体の前記外側面から凹に設けられた係合凹部と、
前記カバー部材の前記外側部に設けられかつ前記係合凹部に係合する係合凸部と、
前記カバー部材の前記対向部を貫通して前記軸受体にねじ込まれる取付ねじと、を備え、
前記係合凸部は、鉛直方向に複数設けられていることを特徴とする、
二軸蝶番。
【請求項２】
前記係合凹部は、前記複数の係合凸部と対応する位置に複数設けられることを特徴とする、
請求項１記載の二軸蝶番。
【請求項３】
構造物の開口に設けられる枠体と、
前記枠体に回動可能に支持され前記開口を開閉する扉体と、
一方が構造物の開口に設けられる枠体に締結部材により固定され、かつ、他方が前記枠体に回動自在に支持される扉体に締結部材により固定される一対の軸受体と、前記一対の軸受体と鉛直方向と平行な回動軸を介して回動自在に設けられる連結杆と、前記軸受体に取り付けられ、かつ前記締結部材を覆う締結部材覆い部と前記扉体の閉塞時に前記一対の軸受体の互いに対向する対向面に重なる対向部と前記扉体の閉塞時に前記一対の軸受体の互いに離間する外側面に重なる外側部とを備える一対のカバー部材と、を備える二軸蝶番と、を備えた止水扉であって、
前記二軸蝶番は、
前記軸受体の前記外側面から凹に設けられた係合凹部と、
前記カバー部材の前記外側部に設けられかつ前記係合凹部に係合する係合凸部と、
前記カバー部材の前記対向部を貫通して前記軸受体にねじ込まれる取付ねじと、を備え、
前記係合凸部は、鉛直方向に複数設けられていることを特徴とする、
止水扉。
【発明の詳細な説明】
【技術分野】
【０００１】
本発明は、二軸蝶番及び止水扉に関する。
【背景技術】
【０００２】
従来の止水扉として、例えば、特許文献１には、環状の枠体と、この枠体の開口を塞止する扉体と、枠体に対して扉体を回動自在に支持する二軸蝶番を備え、この扉体にて開口を塞止することによって、開口からの浸水を阻止する止水扉が開示されている。この止水扉で用いられる二軸蝶番は、枠体に締結部材により固定される枠体側軸受体と、扉体に締結部材により固定される扉体側軸受体と、枠体側軸受体と扉体側軸受体とのそれぞれと鉛直方向と平行な回動軸を介して回動自在に設けられる連結杆とを備える。そして、特許文献１に示された二軸蝶番は、更に、枠体側軸受体を覆う枠体側カバー部材と、扉体側軸受体を覆う扉体側カバー部材とを備えて、締結部材が外側に露出しないようにしている。
【先行技術文献】
【特許文献】
【０００３】
【特許文献１】特開２０１５−２５２７４号公報
【発明の概要】
【発明が解決しようとする課題】
【０００４】
ところで、上述の特許文献１に記載の止水扉の二軸蝶番は、枠体側カバー部材や扉体側カバー部材をより外れにくくすることが求められている。
【０００５】
本発明は、上記の事情に鑑みてなされたものであって、カバー部材をより外れにくくすることができる二軸蝶番及び止水扉を提供することを目的とする。
【課題を解決するための手段】
【０００６】
上記目的を達成するために、本発明に係る二軸蝶番は、一方が構造物の開口に設けられる枠体に締結部材により固定され、かつ、他方が前記枠体に回動自在に支持される扉体に締結部材により固定される一対の軸受体と、前記一対の軸受体と鉛直方向と平行な回動軸を介して回動自在に設けられる連結杆と、前記軸受体に取り付けられ、かつ前記締結部材を覆う締結部材覆い部と、前記扉体の閉塞時に前記一対の軸受体の互いに対向する対向面に重なる対向部と、前記扉体の閉塞時に前記一対の軸受体の互いに離間する外側面に重なる外側部とを備える一対のカバー部材と、を備える二軸蝶番であって、前記軸受体の前記外側面から凹に設けられた係合凹部と、前記カバー部材の前記外側部に設けられかつ前記係合凹部に係合する係合凸部と、前記カバー部材の前記対向部を貫通して前記軸受体にねじ込まれる取付ねじと、を備え、前記係合凸部は、鉛直方向に複数設けられていることを特徴とする。
【０００７】
上記二軸蝶番は、軸受体の外側面に係合凹部を設け、カバー部材に係合凹部に係合する係合凸部を設け、カバー部材の対向部を取付ねじにより軸受体に取り付けている。このために、カバー部材の外側部と対向部とのそれぞれが軸受体に固定されることとなる。
【０００８】
さらに、係合凸部を鉛直方向に複数設けているので、すべての係合凸部の係合凹部への係合を解除しないと、カバー部材を取り外すことができない。よって、二軸蝶番は、カバー部材をより外れにくくすることができる。
【０００９】
また、上記二軸蝶番では、前記係合凹部は、前記複数の係合凸部と対応する位置に複数設けられるものとすることができる。
【００１０】
上記二軸蝶番は、係合凹部を係合凸部に対応して複数設けているので、係合凸部の係合凹部への係合を外しにくくすることができる。よって、二軸蝶番は、カバー部材をより外れにくくすることができる。
【００１１】
本発明の止水扉は、構造物の開口に設けられる枠体と、前記枠体に回動可能に支持され前記開口を開閉する扉体と、一方が構造物の開口に設けられる枠体に締結部材により固定され、かつ、他方が前記枠体に回動自在に支持される扉体に締結部材により固定される一対の軸受体と、前記一対の軸受体と鉛直方向と平行な回動軸を介して回動自在に設けられる連結杆と、前記軸受体に取り付けられ、かつ前記締結部材を覆う締結部材覆い部と前記扉体の閉塞時に前記一対の軸受体の互いに対向する対向面に重なる対向部と前記扉体の閉塞時に前記一対の軸受体の互いに離間する外側面に重なる外側部とを備える一対のカバー部材と、を備える二軸蝶番と、を備えた止水扉であって、前記二軸蝶番は、前記軸受体の前記外側面から凹に設けられた係合凹部と、前記カバー部材の前記外側部に設けられかつ前記係合凹部に係合する係合凸部と、前記カバー部材の前記対向部を貫通して前記軸受体にねじ込まれる取付ねじと、を備え、前記係合凸部は、鉛直方向に複数設けられていることを特徴とする。
【００１２】
上記止水扉は、上記二軸蝶番を備えているので、カバー部材をより外れにくくすることができる。
【発明の効果】
【００１３】
本発明に係る二軸蝶番及び止水扉は、カバー部材をより外れにくくすることができる、という効果を奏する。
【図面の簡単な説明】
【００１４】
【図１】図１は、実施形態に係る止水扉の概略構成を表す模式的な正面図である。
【図２】図２は、図１に示すＩＩ−ＩＩ断面図である。
【図３】図３は、実施形態に係る止水扉の二軸蝶番の概略構成を表す斜視図である。
【図４】図４は、図３に示すＩＶ−ＩＶ断面図である。
【図５】図５は、実施形態に係る止水扉の二軸蝶番の概略構成を表す分解斜視図である。
【発明を実施するための形態】
【００１５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１６】
［実施形態］
図１は、実施形態に係る止水扉の概略構成を表す模式的な正面図である。図２は、図１に示すＩＩ−ＩＩ断面図である。図３は、実施形態に係る止水扉の二軸蝶番の概略構成を表す斜視図である。図４は、図３に示すＩＶ−ＩＶ断面図である。図５は、実施形態に係る止水扉の二軸蝶番の概略構成を表す分解斜視図である。
【００１７】
図１及び図２に示す実施形態の止水扉１は、ビル、家屋、倉庫等の建築物を含む構造物Ｓに形成された開口Ｏを開放あるいは閉塞するものである。開口Ｏは、構造物Ｓの第１空間側（例えば、屋外空間側）と第２空間側（例えば、屋内空間側）とを連通するように形成される。本実施形態の止水扉１は、開口Ｏを通して構造物Ｓの内部に水が浸入することを防止する、いわゆる止水扉である。また、止水扉１は、開口Ｏを開閉して、開口Ｏを通して構造物Ｓに人などを出入りさせるものである。本実施形態の止水扉１は、図２に示すように、枠体２と、扉体３と、シールゴム４と、複数のグレモンハンドル５と、複数の二軸蝶番６などを備える。
【００１８】
なお、以下の説明では、扉体３を閉塞位置に回動させる際の回動方向を「閉塞時回動方向」といい、扉体３を開放位置に回動させる際の回動方向を「開放時回動方向」という場合がある。また、閉塞時回動方向は、典型的には、開口Ｏを介して一方の空間側（屋外空間側）から他方の空間側（屋内空間側）へ水が浸入する可能性がある場合に、水が流動する可能性がある方向に沿った方向である。つまり、水の流動方向は、典型的には、開放時回動方向側が上流側、閉塞時回動方向側が下流側となる。また、水平方向に沿った方向であって後述の一対の縦枠部材２１が向かい合う方向を「扉幅方向」という場合がある。即ち、下流側（屋内空間側）とは、水の浸入を阻止や抑制したい側であり、上流側（屋外空間側）とは、浸入可能性のある水が流れてくる側のことである。なお、屋外空間側や屋内空間側とは水が浸入する可能性がある場合の上流側や下流側を意味する便宜上の文言であり、本発明は、例えば廊下等の通路のような家屋や部屋等の概念が必ずしも明確にならない場所に設置された扉に対しても適用できる。
【００１９】
枠体２は、構造物Ｓの開口Ｏに設けられる。枠体２は、一対の縦枠部材２１と、上枠部材２２及び下枠部材２３とを備えて構成される四方枠タイプとなっている。
【００２０】
一対の縦枠部材２１は、それぞれ開口Ｏの鉛直方向に沿った端面に１つずつ設けられる。一対の縦枠部材２１は、水平方向において開口Ｏの空間部分を挟んで対向し、扉幅方向において左右一対で設けられる。一対の縦枠部材２１は、鉛直方向に沿って設けられる。
【００２１】
上枠部材２２及び下枠部材２３は、それぞれ開口Ｏの水平方向に沿った端面に１つずつ設けられる。ここでは、上枠部材２２は、開口Ｏの水平方向に沿った端面であって鉛直方向上側の端面に設けられる。上枠部材２２は、一対の縦枠部材２１の上端同士を連結する。下枠部材２３は、開口Ｏの水平方向に沿った端面であって鉛直方向下側の端面に設けられる。下枠部材２３は、一対の縦枠部材２１の下端同士を連結する。上枠部材２２及び下枠部材２３は、鉛直方向において開口Ｏの空間部分を挟んで対向する。上枠部材２２及び下枠部材２３は、水平方向に沿って設けられる。
【００２２】
枠体２は、開口Ｏの内面側にて一対の縦枠部材２１の端部と上枠部材２２、下枠部材２３の端部とが連結されており、全体として開口Ｏに対応した環状のロの字型形状に構成される。ここでは、一対の縦枠部材２１、上枠部材２２、下枠部材２３は、それぞれ板状の金属材により中空状の断面形状に形成されている。一対の縦枠部材２１は、それぞれ板状の金属材により、略Ｔ字型中空状の断面形状に形成される。枠体２は、開口Ｏの周囲を囲むように構造物Ｓに固定的に取り付けられている。一対の縦枠部材２１、上枠部材２２、下枠部材２３は、開口Ｏの各端面との間がコーキング材等により水密状態とされる。
【００２３】
さらに、枠体２は、各縦枠部材２１、上枠部材２２、下枠部材２３における開口Ｏの空間部分側に、後述のシールゴム４など保持するための保持部２４（図２に示す）を有する。保持部２４は、枠体２の各縦枠部材２１、上枠部材２２、下枠部材２３に沿って、全体として環状のロの字型形状に構成される。
【００２４】
保持部２４は、図２に示すように、開放時回動方向側、即ち、屋外空間側に開口した凹溝２４ａを二つ備えている。凹溝２４ａは、それぞれ、縦枠部材２１、上枠部材２２、下枠部材２３に沿って、全体として環状のロの字型形状に構成されている。一方の凹溝２４ａは、他方の凹溝２４ａよりも枠体２の外周側に配置されている。
【００２５】
扉体３は、枠体２に回動自在に支持され開口Ｏを開閉する開閉体である。即ち、扉体３は、開口Ｏを開放あるいは閉塞する。本実施形態の扉体３は、片開き式の扉である。扉体３は、例えば、框、縦桟、横桟等の骨格部材を組んだものに対して両面から板状の扉表面材を組み付けることで、全体として矩形パネル状の部材として構成される。
【００２６】
扉体３は、扉幅方向の一方の端部に当該扉体３を開閉するためのドアノブ３１等が設けられる。扉体３は、扉幅方向の一方の端部側の端面に、枠体２の縦枠部材２１に形成される係合穴（図示せず）と係合するラッチ（図示せず）を設けている。また、扉体３は、扉幅方向の他方の端部に二軸蝶番６が設けられている。二軸蝶番６は、鉛直方向と平行な回動軸２０ａ，２０ｂ（図２に示す）を水平方向にずれた位置に二つ設け、扉体３を枠体２の一方の縦枠部材２１に回動可能に支持する。本実施形態の二軸蝶番６は、鉛直方向に間をあけて２箇所に設けられる。
【００２７】
扉体３は、水平方向において二軸蝶番６が設けられる基端部側が吊り元側（言い換えれば、戸尻側）となる一方、吊り元側とは反対側、即ち、ラッチが設けられる先端部側が戸先側となる。扉体３は、さらに、不図示のドアクローザー等を備えていてもよい。
【００２８】
したがって、扉体３は、二軸蝶番６の二つの回動軸２０ａ，２０ｂを回動中心として、開口Ｏを閉塞させる閉塞位置と、開口Ｏを開放させる開放位置とに亘って枠体２に対して回動可能となる。そして、この扉体３は、閉塞位置にある状態でラッチが縦枠部材２１に形成された係合穴に係合する。扉体３は、閉塞位置から開放位置側に枠体２に対して回動されることで、屋外空間側に進出し開口Ｏを開放する。
【００２９】
また、扉体３は、二軸蝶番６の二つの回動軸２０ａ，２０ｂを回動中心として枠体２に回動可能に支持されているので、閉塞位置において、扉体３が枠体２に押し付けられる押付方向Ｐ（図２、図３などに矢印で示す）に水平移動可能となっている。
【００３０】
ここで、押付方向Ｐとは、扉体３が枠体２に押し付けられる方向をいい、典型的には、扉体３に対して屋外空間側から水圧が作用した際に当該水圧による押し付け力が作用する方向であり、第１空間側（例えば、屋外空間側）から第２空間側（例えば、屋内空間側）に向う方向である。本実施形態では、押付方向Ｐは、閉塞位置にある扉体３の扉表面材と直交する方向で屋内空間側に向う方向に相当する。
【００３１】
シールゴム４は、枠体２と扉体３との一方としての枠体２の全周に取り付けられている。シールゴム４は、扉体３が開口Ｏを閉塞させる閉塞位置にある状態で、押付方向Ｐにおいて当該枠体２と当該扉体３との間に介在し、扉体３と枠体２との双方に当接して弾性変形して、枠体２と扉体３との間を止水して開口Ｏを止水するものである。本実施形態のシールゴム４は、枠体２側に設けられるものとして説明するがこれに限らず、扉体３側に設けられてもよい。
【００３２】
シールゴム４は、所定の弾性を有する弾性部材（ゴム）であり、例えば、独立気泡型の樹脂（ゴム）材や気泡を有しない柔らかめの樹脂等を用いることができる。本実施形態のシールゴム４は、硬度が１〜３０までの発泡ゴムで構成されている。なお、本発明でいう硬度とは、ＪＩＳ（日本工業規格）Ｋ６２５３−１〜５で定められた数値をいう。
【００３３】
シールゴム４は、一対の縦枠部材２１の凹溝２４ａ内に取り付けられる一対の縦側シールゴム４１と、上枠部材２２の凹溝２４ａ内に取り付けられる上側シールゴム４２と、下枠部材２３の凹溝２４ａ内に取り付けられる下側シールゴム４３とを含んで構成される。一対の縦側シールゴム４１は、鉛直方向に沿って設けられる一対の鉛直部材である。上側シールゴム４２と、下側シールゴム４３は、水平方向に沿って設けられる一対の水平部材である。一対の縦側シールゴム４１と、上側シールゴム４２と、下側シールゴム４３とは棒状の部材として形成される。シールゴム４は、一対の縦側シールゴム４１の端部と上側シールゴム４２の端部と下側シールゴム４３の端部とが密着状態となるように連続的に連結されている。一対の縦側シールゴム４１と、上側シールゴム４２、及び、下側シールゴム４３によって構成されるシールゴム４は、全体として枠体２に対応した枠状のロの字型形状に構成される。
【００３４】
グレモンハンドル５は、扉体３に複数設けられ、かつ、閉塞位置にあり水圧非作用時の扉体３を非止水位置から止水位置に変位させるものである。グレモンハンドル５は、扉体３に回動自在に設けられたハンドル部５１と、枠体２に設けられた凸部５２とを備えている。ハンドル部５１は、屋外空間側と屋内空間側との双方に設けられかつ使用者が把持できる操作部５１ａと、屋内空間側の操作部５１ａに一体に設けられた乗りあがり部５１ｂとを備えている。凸部５２は、枠体２の縦枠部材２１の屋内空間側の表面から凸に形成されて、乗りあがり部５１ｂが乗り上げることで、扉体３を非止水位置から止水位置に変位させるものである。グレモンハンドル５は、本実施形態では、扉体３の鉛直方向の中央部に二つと、下端部に二つ、合計四つ設けられている。
【００３５】
二軸蝶番６は、枠体２に対して扉体３を閉塞位置と開放位置とに亘って回動自在に支持するものである。本実施形態では、二軸蝶番６は、二つ設けられ、鉛直方向に間をあけて配置されている。二軸蝶番６は、図３、図４及び図５に示すように、止水扉１の屋外空間側に取り付けられ、枠体側軸受体７と、扉体側軸受体８と、連結杆２０と、枠体側カバー部材９と、扉体側カバー部材１０とを備える。
【００３６】
枠体側軸受体７は、軸受体に相当するものであり、枠体２の扉体３の他方の端部寄りの一方の縦枠部材２１の上下両端部に取り付けられている。枠体側軸受体７は、鉛直方向に間をあけて配置された一対の軸受部７１と一対の軸受部７１同士を連結する連結板部７２とを備える。軸受部７１は、直方体状に形成され、長手方向が鉛直方向と平行に配置される。連結板部７２は、鉛直方向と平行な帯状に形成され、軸受部７１と枠体２の一方の縦枠部材２１との間に配置される。また、枠体側軸受体７は、屋外空間側から軸受部７１及び一方の縦枠部材２１にねじ込まれるボルト７３（締結部材に相当）により枠体２の一方の縦枠部材２１に固定される。
【００３７】
扉体側軸受体８は、軸受体に相当するものであり、扉体３の扉幅方向の他方の端部の上下両端部に取り付けられている。扉体側軸受体８は、扉体３が閉塞位置に位置付けられると、枠体側軸受体７の側方に配置される。扉体側軸受体８は、鉛直方向に間をあけて配置された一対の軸受部８１と一対の軸受部８１同士を連結する連結板部８２とを備える。軸受部８１は、直方体状に形成され、長手方向が鉛直方向と平行に配置される。連結板部８２は、鉛直方向と平行な帯状に形成され、軸受部８１と扉体３との間に配置される。また、扉体側軸受体８は、扉体３が閉塞位置に位置付けられた際に、屋外空間側から軸受部８１及び扉体３にねじ込まれるボルト８３（締結部材に相当）により扉体３に固定される。
【００３８】
連結杆２０は、枠体側軸受体７と扉体側軸受体８とのそれぞれと、鉛直方向と平行な回動軸２０ａ，２０ｂを介して回動自在に設けられるものである。連結杆２０は、長手方向が扉幅方向と平行な直方体状に形成され、枠体側軸受体７の軸受部７１間と、扉体側軸受体８の軸受部８１間とに横架される。連結杆２０の長手方向の両端部には、円柱状の回動軸２０ａ，２０ｂが貫通している。回動軸２０ａは、枠体側軸受体７の軸受部７１により軸心回りに回動自在に支持され、回動軸２０ｂは、扉体側軸受体８の軸受部８１により軸心回りに回動自在に支持されている。
【００３９】
枠体側カバー部材９は、カバー部材に相当するものであり、枠体側軸受体７に取り付けられて、枠体側軸受体７の外面を覆って、ボルト７３が外側に露出することを規制するものである。枠体側カバー部材９は、耐熱温度が高く、強度の高い金属で構成される。枠体側カバー部材９は、一対の軸受部覆い部９１と、接続板９２とを一体に備えている。
【００４０】
軸受部覆い部９１は、軸受部７１を覆うものであり、接続板９２は、連結板部７２の扉体側軸受体８寄り側に重ねられて一対の軸受部覆い部９１同士を連結するものである。軸受部覆い部９１は、ボルト７３を覆う枠体側覆い部９１ａ（締結部材覆い部に相当）と、枠体側対向部９１ｂ（対向部に相当）と、枠体側外側部９１ｃ（外側部に相当）とを一体に備えている。枠体側覆い部９１ａは、平板状に形成され、枠体側軸受体７の軸受部７１のボルト７３がねじ込まれる表面７１ｃに重ねられる。
【００４１】
枠体側対向部９１ｂは、扉体３が閉塞位置に位置付けられる扉体３の閉塞時に枠体側軸受体７の軸受部７１の扉体側軸受体８に対向する枠体側対向面７１ａ（対向面に相当）に重ねられるものである。枠体側対向部９１ｂは、平板状に形成され、かつ枠体側覆い部９１ａの扉体側軸受体８寄りに縁から枠体２の一方の縦枠部材２１に向かって折り曲げられるなどして形成される。
【００４２】
枠体側外側部９１ｃは、扉体３が閉塞位置に位置付けられる扉体３の閉塞時に枠体側軸受体７の軸受部７１の扉体側軸受体８から離間する枠体側外側面７１ｂ（外側面に相当）に重ねられるものである。枠体側外側部９１ｃは、平板状に形成され、かつ枠体側覆い部９１ａの扉体側軸受体８から離れた側の縁から枠体２の一方の縦枠部材２１に向かって折り曲げられるなどして形成される。また、枠体側外側部９１ｃは、鉛直方向に等間隔に複数に分割されている。本実施形態では、枠体側外側部９１ｃは、鉛直方向に三つに分割されて、鉛直方向に複数設けられている。
【００４３】
また、一対の軸受部覆い部９１のうちの上側の軸受部覆い部９１は、枠体側覆い部９１ａと枠体側対向部９１ｂと枠体側外側部９１ｃの上端に連なる平板状の上側覆い部９１ｄを備え、下側の軸受部覆い部９１は、枠体側覆い部９１ａと枠体側対向部９１ｂと枠体側外側部９１ｃの下端に連なる平板状の下側覆い部９１ｅを備える。
【００４４】
扉体側カバー部材１０は、カバー部材に相当するものであり、扉体側軸受体８に取り付けられて、扉体側軸受体８の外面を覆って、ボルト８３が外側に露出することを規制するものである。扉体側カバー部材１０は、耐熱温度が高く、強度の高い金属で構成される。扉体側カバー部材１０は、一対の軸受部覆い部１１と、接続板１２とを一体に備えている。
【００４５】
軸受部覆い部１１は、軸受部８１を覆うものであり、接続板１２は、連結板部８２の枠体側軸受体７寄り側に重ねられて一対の軸受部覆い部１１同士を連結するものである。軸受部覆い部１１は、ボルト８３を覆う扉体側覆い部１１ａ（締結部材覆い部に相当）と、扉体側対向部１１ｂ（対向部に相当）と、扉体側外側部１１ｃ（外側部に相当）とを一体に備えている。扉体側覆い部１１ａは、平板状に形成され、扉体側軸受体８の軸受部８１のボルト８３がねじ込まれる表面８１ｃに重ねられる。
【００４６】
扉体側対向部１１ｂは、扉体３が閉塞位置に位置付けられる扉体３の閉塞時に扉体側軸受体８の軸受部８１の枠体側軸受体７に対向する扉体側対向面８１ａ（対向面に相当）に重ねられるものである。扉体側対向部１１ｂは、平板状に形成され、かつ扉体側覆い部１１ａの枠体側軸受体７寄りの縁から扉体３に向かって折り曲げられるなどして形成される。
【００４７】
扉体側外側部１１ｃは、扉体３が閉塞位置に位置付けられる扉体３の閉塞時に扉体側軸受体８の軸受部８１の枠体側軸受体７から離間する扉体側外側面８１ｂ（外側面に相当）に重ねられるものである。扉体側外側部１１ｃは、平板状に形成され、かつ扉体側覆い部１１ａの枠体側軸受体７から離れた側の縁から扉体３に向かって折り曲げられるなどして形成される。また、扉体側外側部１１ｃは、鉛直方向に等間隔に複数に分割されている。本実施形態では、扉体側外側部１１ｃは、鉛直方向に三つに分割されて、鉛直方向に複数設けられている。
【００４８】
また、一対の軸受部覆い部１１のうちの上側の軸受部覆い部１１は、扉体側覆い部１１ａと扉体側対向部１１ｂと扉体側外側部１１ｃの上端に連なる平板状の上側覆い部１１ｄを備え、下側の軸受部覆い部１１は、扉体側覆い部１１ａと扉体側対向部１１ｂと扉体側外側部１１ｃの下端に連なる平板状の下側覆い部１１ｅを備える。
【００４９】
また、二軸蝶番６は、複数の枠体側係合凹部６１（係合凹部に相当）と、複数の枠体側係合凸部６２（係合凸部に相当）と、枠体側取付ねじ６３（取付ねじに相当）と、複数の扉体側係合凹部６４（係合凹部に相当）と、複数の扉体側係合凸部６５（係合凸部に相当）と、扉体側取付ねじ６６（取付ねじに相当）とを備える。
【００５０】
枠体側係合凹部６１は、枠体側軸受体７の枠体側外側面７１ｂから凹に設けられ、鉛直方向に複数（本実施形態では、三つ）設けられている。枠体側係合凹部６１は、枠体側外側面７１ｂの枠体２の一方の縦枠部材２１の寄りの縁部の枠体側外側部９１ｃの先端と重なる位置に設けられて、複数の枠体側係合凸部６２と対応する位置に複数設けられている。
【００５１】
枠体側係合凸部６２は、枠体側カバー部材９の枠体側外側部９１ｃに鉛直方向に複数（本実施形態では、三つ）設けられ、枠体側係合凹部６１に係合するものである。枠体側係合凸部６２は、枠体側外側部９１ｃそれぞれの先端から枠体側対向部９１ｂに向かって凸に形成されている。枠体側係合凸部６２は、枠体側係合凹部６１内に侵入して、枠体側係合凹部６１に係合する。
【００５２】
枠体側取付ねじ６３は、枠体側カバー部材９の枠体側対向部９１ｂを貫通して枠体側軸受体７の軸受部７１にねじ込まれるものである。枠体側取付ねじ６３は、枠体側係合凹部６１に係合する枠体側係合凸部６２と共同して、枠体側カバー部材９を枠体側軸受体７に固定するものである。枠体側取付ねじ６３は、鉛直方向に間をあけて二つ設けられている。また、本実施形態では、枠体側取付ねじ６３は、所謂皿ねじであり、頭６３ａが枠体側対向部９１ｂに設けられたテーパ状穴９３内に収容されて、枠体側対向部９１ｂの表面から突出することが規制されている。
【００５３】
扉体側係合凹部６４は、扉体側軸受体８の扉体側外側面８１ｂから凹に設けられ、鉛直方向に複数（本実施形態では、三つ）設けられている。扉体側係合凹部６４は、扉体側外側面８１ｂの扉体３寄りの縁部の扉体側外側部１１ｃの先端と重なる位置に設けられて、複数の扉体側係合凸部６５と対応する位置に複数設けられている。
【００５４】
扉体側係合凸部６５は、扉体側カバー部材１０の扉体側外側部１１ｃに鉛直方向に複数（本実施形態では、三つ）設けられ、扉体側係合凹部６４に係合するものである。扉体側係合凸部６５は、扉体側外側部１１ｃの先端から扉体側対向部１１ｂに向かって凸に形成されている。扉体側係合凸部６５は、扉体側係合凹部６４内に侵入して、扉体側係合凹部６４に係合する。
【００５５】
扉体側取付ねじ６６は、扉体側カバー部材１０の扉体側対向部１１ｂを貫通して扉体側軸受体８の軸受部８１にねじ込まれるものである。扉体側取付ねじ６６は、扉体側係合凹部６４に係合する扉体側係合凸部６５と共同して、扉体側カバー部材１０を扉体側軸受体８に固定するものである。扉体側取付ねじ６６は、鉛直方向に間をあけて二つ設けられている。また、本実施形態では、扉体側取付ねじ６６は、所謂皿ねじであり、頭６６ａが扉体側対向部１１ｂに設けられたテーパ状穴１３内に収容されて、扉体側対向部１１ｂの表面から突出することが規制されている。
【００５６】
前述した構成の枠体側カバー部材９と扉体側カバー部材１０とは、枠体側軸受体７が枠体２の一方の縦枠部材２１に固定され、扉体側軸受体８が扉体３の他方の端部に固定され、連結杆２０が回動軸２０ａ，２０ｂを中心に軸受体７，８に回動自在に支持された状態で取り付けられる。具体的には、扉体３が閉塞位置と開放位置との間に位置付けられた状態で、枠体側軸受体７に枠体側カバー部材９が取り付けられる。枠体側カバー部材９は、枠体側係合凸部６２が枠体側係合凹部６１に係合し、枠体側取付ねじ６３が枠体側対向部９１ｂを貫通して枠体側軸受体７にねじ込まれることで、枠体側軸受体７に取り付けられる。
【００５７】
そして、扉体３が開放位置に位置付けられた状態で、扉体側軸受体８に扉体側カバー部材１０が取り付けられる。扉体側カバー部材１０は、扉体側係合凸部６５が扉体側係合凹部６４に係合し、扉体側取付ねじ６６が扉体側対向部１１ｂを貫通して扉体側軸受体８にねじ込まれることで、扉体側軸受体８に取り付けられる。
【００５８】
上記のように構成される止水扉１は、開口Ｏを通して構造物Ｓ内に出入りする際には、使用者はドアノブ３１などを操作して、扉体３を二軸蝶番６により開放位置と閉塞位置とに亘って回動させる。止水扉１は、開口Ｏを開閉する。
【００５９】
そして、止水扉１は、開口Ｏを止水する際には、扉体３を閉塞位置に位置付けて、使用者がグレモンハンドル５を回転する。すると、グレモンハンドル５の乗りあがり部５１ｂが凸部５２に乗りあがって、扉体３を屋内空間側に移動させる。そして、シールゴム４は、扉体３に当接して弾性変形するとともに、扉体３に密着して、扉体３と枠体２との間を止水する。
【００６０】
さらに、止水扉１は、閉塞位置の扉体３の屋外空間側に水圧が作用すると、扉体３が押付方向Ｐに沿って屋内空間側、言い換えれば、枠体２側に押し付けられることとなる。したがって、止水扉１は、閉塞位置の扉体３に水圧が作用しても、適正な止水性能を確保することができる。
【００６１】
以上で説明した実施形態に係る二軸蝶番６によれば、枠体側軸受体７の枠体側外側面７１ｂに枠体側係合凹部６１を設け、枠体側カバー部材９に枠体側係合凹部６１に係合する枠体側係合凸部６２を設け、枠体側カバー部材９の枠体側対向部９１ｂを枠体側取付ねじ６３により枠体側軸受体７に取り付けている。このために、二軸蝶番６は、枠体側カバー部材９の枠体側外側部９１ｃと枠体側対向部９１ｂとのそれぞれが枠体側軸受体７に固定されることとなる。
【００６２】
また、二軸蝶番６は、扉体側軸受体８の扉体側外側面８１ｂに扉体側係合凹部６４を設け、扉体側カバー部材１０に扉体側係合凹部６４に係合する扉体側係合凸部６５を設け、扉体側カバー部材１０の扉体側対向部１１ｂを扉体側取付ねじ６６により扉体側軸受体８に取り付けている。このために、二軸蝶番６は、扉体側カバー部材１０の扉体側外側部１１ｃと扉体側対向部１１ｂとのそれぞれが扉体側軸受体８に固定されることとなる。
【００６３】
さらに、二軸蝶番６は、枠体側係合凸部６２を鉛直方向に複数設けているので、すべての枠体側係合凸部６２の枠体側係合凹部６１への係合を解除しないと、枠体側カバー部材９の枠体側外側部９１ｃを枠体側軸受体７から取り外すことができない。また、二軸蝶番６は、扉体側係合凸部６５を鉛直方向に複数設けているので、すべての扉体側係合凸部６５の扉体側係合凹部６４への係合を解除しないと、扉体側カバー部材１０の扉体側外側部１１ｃを扉体側軸受体８から取り外すことができない。よって、二軸蝶番６は、枠体側カバー部材９や扉体側カバー部材１０をより外れにくくすることができる。
【００６４】
また、二軸蝶番６は、枠体側係合凹部６１を枠体側係合凸部６２に対応して複数設けているので、枠体側係合凸部６２の枠体側係合凹部６１への係合を外しにくくすることができる。また、二軸蝶番６は、扉体側係合凹部６４を扉体側係合凸部６５に対応して複数設けているので、扉体側係合凸部６５の扉体側係合凹部６４への係合を外しにくくすることができる。よって、二軸蝶番６は、枠体側カバー部材９や扉体側カバー部材１０をより外れにくくすることができる。
【００６５】
なお、上述した本発明に係る二軸蝶番６及び止水扉１は、上述した実施形態に限定されず、特許請求の範囲に記載された範囲で種々の変更が可能である。即ち、本発明に係る二軸蝶番６及び止水扉１は、以上で説明した実施形態及び変形例の構成要素を適宜組み合わせることで構成してもよい。例えば、本発明では、止水扉１は、グレモンハンドル５を必ずしも設けなくてもよい。
【符号の説明】
【００６６】
１    止水扉
２    枠体
３    扉体
７    枠体側軸受体（軸受体）
８    扉体側軸受体（軸受体）
９    枠体側カバー部材（カバー部材）
１０    扉体側カバー部材（カバー部材）
１１ａ    扉体側覆い部（締結部材覆い部）
１１ｂ    扉体側対向部（対向部）
１１ｃ    扉体側外側部（外側部）
２０    連結杆
２０ａ    回動軸
２０ｂ    回動軸
６１    枠体側係合凹部（係合凹部）
６２    枠体側係合凸部（係合凸部）
６３    枠体側取付ねじ（取付ねじ）
６４    扉体側係合凹部（係合凹部）
６５    扉体側係合凸部（係合凸部）
６６    扉体側取付ねじ（取付ねじ）
７１ａ    枠体側対向面（対向面）
７１ｂ    枠体側外側面（外側面）
７３    ボルト（締結部材）
８１ａ    扉体側対向面（対向面）
８１ｂ    扉体側外側面（外側面）
８３    ボルト（締結部材）
９１ａ    枠体側覆い部（締結部材覆い部）
９１ｂ    枠体側対向部（対向部）
９１ｃ    枠体側外側部（外側部）
Ｓ    構造物
Ｏ    開口
【図１】
2016196766.tif 000003
【図２】
2016196766.tif 000004
【図３】
2016196766.tif 000005
【図４】
2016196766.tif 000006
【図５】
2016196766.tif 000007